(57)【要約】【課題】  撮像部と表示部がどのような位置関係にあっても、ユーザーが方位を正しく認識しながら撮影することを可能にする。【解決手段】  撮像手段（１０３）と、  前記撮像手段に被写体光を導くレンズの光軸のうち撮像方向の方位を検出する方位検出手段（１０８）と、  表示手段を有し、前記レンズを有する本体部との相対位置を移動できる表示部（７）と、  前記本体部と前記表示部との位置関係を検出する位置検出手段（１０７）と、  前記表示手段に、前記表示手段を見るユーザーから見た方位と、前記撮像方向の方位とを表示するよう制御する表示制御手段（１０２）と  を有することを特徴とする表示制御装置。【選択図】  図５
2014093729.tif 000002
【特許請求の範囲】
【請求項１】
撮像手段と、
前記撮像手段に被写体光を導くレンズの光軸のうち撮像方向の方位を検出する方位検出手段と、
表示手段を有し、前記レンズを有する本体部との相対位置を移動できる表示部と、
前記本体部と前記表示部との位置関係を検出する位置検出手段と、
前記表示手段に、前記表示手段を見るユーザーから見た方位と、前記撮像方向の方位とを表示するよう制御する表示制御手段と
を有することを特徴とする表示制御装置。
【請求項２】
前記ユーザーから見た方位を、前記方位検出手段で検出された方位と、前記位置検出手段で検出された前記位置関係とに基づいて算出する算出手段を更に有することを特徴とする請求項１に記載の表示制御装置。
【請求項３】
撮像手段を有する撮像装置と通信可能な表示制御装置であって、
表示手段と、
前記撮像装置の有するレンズ光軸のうち撮像方向の方位を取得する取得手段と、
前記表示制御装置の方位を検出する方位検出手段と、
前記表示手段に、前記表示手段を見るユーザーから見た方位と、前記撮像方向の方位とを表示するよう制御する表示制御手段と
を有することを特徴とする表示制御装置。
【請求項４】
前記ユーザーから見た方位は前記方位検出手段によって検出された方位に基づいて決定された方位であり、前記撮像方向の方位は前記取得手段で取得した方位であることを特徴とする請求項３に記載の表示制御装置。
【請求項５】
前記表示制御手段はさらに、前記表示手段を見るユーザーから見た方位と、前記撮像方向の方位とともに、前記撮像手段で撮像されているライブビュー画像を表示するように制御することを特徴とする請求項１乃至４の何れか１項に記載の表示制御装置。
【請求項６】
前記表示制御手段は更に、レンズの種類とズーム倍率の少なくとも１方に基づいて、撮影画角に収まる方位の範囲を示す表示をすることを特徴とする請求項１乃至５のいずれか１項に記載の表示制御装置。
【請求項７】
前記撮像手段によって撮像された画像に、前記表示手段を見るユーザーから見た方位と、前記撮像方向の方位とを関連付けて記録するように制御する制御手段を更に有することを特徴とする請求項１乃至６の何れか１項に記載の表示制御装置。
【請求項８】
前記表示制御手段は、前記表示手段を見るユーザーから見た方位を示す第１の指標と、前記撮像方向の方位を示す第２の指標とを、方位を表すための同じ目盛におけるそれぞれの方位を指す位置に表示するように制御することを特徴とする請求項１乃至７の何れか１項に記載の表示制御装置。
【請求項９】
前記表示制御手段は、前記表示手段を見るユーザーから見た方位を示す第１の指標を、前記表示手段を見るユーザーから見た方位に関わらず固定して表示し、前記第１の指標が示す位置の方位を表す目盛を、前記表示手段を見るユーザーから見た方位に応じて変動するように表示することを特徴とする請求項１乃至８のいずれか１項に記載の表示制御装置。
【請求項１０】
前記表示制御手段は、前記表示手段を見るユーザーから見た方位と前記撮像方向の方位との相対関係が変化したことに応じて、前記撮像方向の方位を示す第２の指標を前記第１の指標に対して変動するように表示することを特徴とする請求項９に記載の表示制御装置。
【請求項１１】
前記表示制御手段は、記録された画像を再生表示するとともに、該画像に関連付けて記録されている方位情報に基づく該画像の撮像方向の方位を表示することが可能であり、前記再生表示の際には、前記撮像方向の方位を示す第２の指標を、前記表示手段を見るユーザーから見た方位に関わらず固定して表示し、前記第２の指標が示す位置の方位を表す目盛を、前記撮像方向の方位を示す第２の指標に応じた位置に表示することを特徴とする請求項９または１０に記載の表示制御装置。
【請求項１２】
撮像手段と、
前記撮像手段に被写体光を導くレンズの光軸のうち撮像方向の方位を検出する方位検出手段と、
表示手段を有し、前記レンズを有する本体部との相対位置を移動できる表示部と
を有する表示制御装置の制御方法であって、
前記本体部と前記表示部との位置関係を検出する位置検出ステップと、
前記表示手段に、前記表示手段を見るユーザーから見た方位と、前記撮像方向の方位とを表示するよう制御する表示制御ステップと
を有することを特徴とする表示制御装置の制御方法。
【請求項１３】
撮像手段を有する撮像装置と通信可能であり、表示手段を有する表示制御装置の制御方法であって、
前記撮像装置の有するレンズ光軸のうち撮像方向の方位を取得する取得ステップと、
前記表示制御装置の方位を検出する方位検出ステップと、
前記表示手段に、前記表示手段を見るユーザーから見た方位と、前記撮像方向の方位とを表示するよう制御する表示制御ステップと
を有することを特徴とする表示制御装置の制御方法。
【請求項１４】
コンピュータを、請求項１乃至１１のいずれか１項に記載された表示制御装置の各手段として機能させるためのプログラム。
【請求項１５】
コンピュータを、請求項１乃至１１のいずれか１項に記載された表示制御装置の各手段として機能させるためのプログラムを記憶したコンピュータが読み取り可能な記憶媒体。
【発明の詳細な説明】
【技術分野】
【０００１】
本発明は、表示部が撮像部に対して可動自在に設けられた表示制御装置に関し、特に方位情報を検出する機能を有する表示制御装置に関するものである。
【背景技術】
【０００２】
従来、撮像装置や撮像機能を搭載した携帯電子装置等において、表示部が本体筐体に対して回動可能である装置が市販されている。このような装置においては、表示部の回動状態を検出し、表示される画面を切り替えることを可能としている。
【０００３】
また、撮像装置の一部機種には、方位センサにより取得された方位情報を撮影方位情報として撮影によって得られた画像データと関連付け、記録するものもある。
【０００４】
特許文献１ではＧＰＳ（Ｇｌｏｂａｌ  Ｐｏｓｉｔｉｏｎｉｎｇ  Ｓｙｓｔｅｍ）機能を搭載した携帯電子機器において、本体筐体に対する表示部の回動状態を検出し、地図の表示を変更することが開示されている。また、特許文献２では撮像部が本体筐体に対して回動可能である方位検出機能付き携帯電子機器において回動角度を検出し、撮像方位を補正することが開示されている。さらに、特許文献３において、携帯電話等の表示制御装置によって撮像装置を遠隔操作することが開示されている。
【先行技術文献】
【特許文献】
【０００５】
【特許文献１】特開２００５−１５６８５０号公報
【特許文献２】特開２００４−０８０７４０号公報
【特許文献３】特開２００２−０８４４４５号公報
【発明の概要】
【発明が解決しようとする課題】
【０００６】
しかしながら、特許文献２又は特許文献３のような撮像部と表示部の位置関係が変えられるような電子カメラにおいては、撮像方位とユーザーの向いている方位とが一致しなくなり、表示部に表示される方位情報がわかりにくくなるといった問題がある。
【０００７】
そこで本発明は、撮像部と表示部がどのような位置関係にあっても、ユーザーが方位を正しく認識しながら撮影できるような方位情報の表示をすることができる表示制御装置及びその制御方法、プログラム及び記録媒体を提供することを目的とする。
【課題を解決するための手段】
【０００８】
上記目的を達成するために、本発明の表示制御装置は、
撮像手段と、
前記撮像手段に被写体光を導くレンズの光軸のうち撮像方向の方位を検出する方位検出手段と、
表示手段を有し、前記レンズを有する本体部との相対位置を移動できる表示部と、
前記本体部と前記表示部との位置関係を検出する位置検出手段と、
前記表示手段に、前記表示手段を見るユーザーから見た方位と、前記撮像方向の方位とを表示するよう制御する表示制御手段と
を有することを特徴とする。
【発明の効果】
【０００９】
本発明によれば、撮像部と表示部がどのような位置関係にあっても、ユーザーが方位を正しく認識しながら撮影できるような方位情報の表示をすることができる。
【図面の簡単な説明】
【００１０】
【図１】撮像装置１００の外観図である。
【図２】撮像装置１００の概略構成ブロック図である。
【図３】角度検出部１０７の構成を示す図である。
【図４】実施例１の撮像モード処理のフローチャートである。
【図５】本発明による電子コンパス表示の表示例である。
【図６】撮像装置本体１と表示部７およびユーザー６０２の位置関係を示した図である。
【図７】本発明による電子コンパス表示の表示例である。
【図８】本発明による電子コンパス表示の表示例である。
【図９】（ａ）実施例２における撮像装置１００の概略構成ブロック図である。（ｂ）実施例２における表示装置２００の概略構成ブロック図である。
【図１０】実施例２における表示装置２００の外観図及び表示例である。
【図１１】（ａ）実施例２における、撮像装置１００が行う撮影モード処理のフローチャートである。（ｂ）実施例２における、表示装置２００が行う撮影モード処理のフローチャートである。
【発明を実施するための形態】
【００１１】
以下に、本発明の好ましい実施の形態を、添付の図面に基づいて詳細に説明する。
【００１２】
図１は、本発明の実施形態にかかわる、表示制御装置としての撮像装置１００の外観構成図である。図１において、撮像装置１００は、撮像装置本体１、撮像センサに被写体光を導くためのレンズを備えたレンズ筐体２、本体電源を入り切りする本体電源スイッチ３、撮影モード・再生モードを切り替えるモードスイッチ４を有する。また、ズーム操作を行うズームスイッチ５、撮像指示を行うためのレリーズスイッチ６、撮像装置本体１に対して相対位置を移動可能な、撮像画像や、各種撮影設定、設定メニュー画面等を表示するためのディスプレイ１０６（図２で後述）を備えた表示部７を備える。また、設定メニュー画面を起動するためのメニューキー８、メニューを操作する十字操作キー９、表示部７の位置を変更可能とする可動部１０を有する。可動部１０は、本実施例においては２軸の回転ヒンジを用いており、図中の２本の点線をふたつの回転軸として表示部７の位置を変更可能とするバリアングル機構である。尚、本実施例においては可動部１０として２軸の回転ヒンジを用いているが、撮像装置本体１に収納可能な支持部材によって表示部７を可動させてもよい。撮像装置本体１の内部には、レンズ筐体２のレンズ光軸のうち、撮像方向の方位を検出可能な方位検出部１０８、２軸の可動部１０には撮像装置本体１と表示部７との角度（相対的な位置関係）を検出する角度検出部１０７とが設けられている。
【００１３】
図２は、図１に示す撮像装置１００の構成ブロック図である。電源供給部１０１は、撮像装置１００の各部に電圧供給する。ＣＰＵ１０２は、撮像装置１００の各部の制御や、表示部７の表示制御など、撮像装置１００の全体を制御する。撮像部１０３は画像を撮影する為のレンズ及びＣＣＤ又はＣＭＯＳ等の撮像素子を備える。画像処理部１０４は撮影した画像を処理する。記憶部１０５は半導体記憶素子等によって構成されたメモリーカードなどの記録媒体であり、画像データを記憶する。記憶部１０５は着脱可能な記録媒体を含む。ディスプレイ１０６は、図１で前述した表示部７に備えられたディスプレイであり、撮像画像、各種設定情報、設定メニュー画面、再生画像や、後述の方位情報などをＣＰＵ１０２の制御に基づいて表示する。角度検出部１０７は、ロータリースイッチ等で構成され、表示部７と撮像装置本体１とのなす角度を検出する。すなわち本体部である撮像装置本体１と表示部７との相対的な位置検出を行う。角度検出部１０７の構成は図３を用いて後述する。方位検出部１０８はホール素子等で構成され、撮像部１０３のレンズ光軸の方位を検出する。操作部１０９はユーザーからの操作を受け付けるための操作部材よりなり、ボタンや十字キー、タッチパネル等で構成される。ＲＯＭ１１０は不揮発性の記録媒体であり、ＣＰＵ１０２の動作用のプログラムや、各種設定情報、設定パラメータなどが記録されている。ＲＡＭ１１１は揮発性の記録媒体であり、ＣＰＵ１０２がプログラムを実行する際のワークメモリとして用いられる。
【００１４】
図３に角度検出部１０７の構成図を示す。図３は、２軸の回転ヒンジである可動部１０のうち垂直軸のロータリースイッチを表したものであるが、水平軸に関しても同様である。ロータリースイッチ３００の固定接点３０１は、可動部１０の垂直軸との同一直線上で固定されている。可動接点３０２〜３０５は、表示部７の垂直軸中心の回転に応じて点線で表された円周上を回転する。このときの回転角度に応じて固定接点３０１が複数の可動接点３０２〜３０５のいずれかと接続されることによって、可動部１０の垂直軸中心の回転角度を検出する。水平軸についても同様に回転角度を検出することによって、撮像装置本体１と表示部７となす角が検出される。
【００１５】
以下、図４〜図１１を参照して、本発明の各実施例の動作を説明する。
【実施例１】
【００１６】
実施例１では、レンズ光軸の方位と、ディスプレイ１０６を見ているユーザーが向いている方位とをそれぞれ識別可能に表示する例について説明する。
【００１７】
図４に、電子コンパス表示を行う撮影モード処理のフローチャートを示す。この処理は、ＲＯＭ１１０に記録されたプログラムを、ＲＡＭ１１１に展開してＣＰＵ１０２が実行することにより実現する。撮影モードを選択した状態で撮像装置１００が起動されると図４の処理を開始する。
【００１８】
Ｓ４０１では、ＣＰＵ１０２は、撮像部１０３で撮影している画像をディスプレイ１０６に表示する（いわゆるスルー画像表示、ライブビュー表示）。
【００１９】
Ｓ４０２では、ＣＰＵ１０２は、方位検出部１０８によって撮像部１０３に備わっているレンズ光軸の方位を検出する。
【００２０】
Ｓ４０３では、ＣＰＵ１０２は、角度検出部１０７によって表示部７の撮像装置本体１に対する角度を検出する。
【００２１】
Ｓ４０４では、ＣＰＵ１０２は、電子コンパスを表示する。より具体的には、レンズ光軸の方位と角度検出部１０７によって得られたディスプレイ１０６の角度とに基づいて算出された（補正された）ディスプレイ１０６の方位と、方位検出部１０８によって得たレンズ光軸の方位とをそれぞれ識別可能に表示する。これによってディスプレイ１０６には、ディスプレイ１０６と撮像装置本体１との相対角度に応じて、レンズ光軸の方位とディスプレイ１０６の方位即ちユーザーの向いている方位が識別可能に表示される。このときの表示例は図５を用いて後述する。
【００２２】
Ｓ４０５では、ＣＰＵ１０２は、操作部１０９によってレリーズスイッチ６が全押し操作されたか否かを判断し、操作されなかった場合はＳ４０１に進んで処理を繰り返し、操作された場合はＳ４０６に進む。このように、レリーズスイッチ６が押下されるまではＳ４０１〜Ｓ４０５の処理を繰り返し、検出した方位情報と角度情報によってディスプレイ１０６の電子コンパス５０５の表示を随時更新する。
【００２３】
Ｓ４０６では、ＣＰＵ１０２は、撮像部１０３によって本撮影（ライブビュー画像の撮像との区別のために本撮影と称する）を行い、撮影された画像情報を画像処理部１０４で画像処理して画像ファイルを生成する（撮影処理）。
【００２４】
Ｓ４０７では、ＣＰＵ１０２は、Ｓ４０６で処理された画像情報と、レリーズスイッチ６が操作された時点（撮影が行われた時点）での方位情報を関連付けて記憶部１０５に記録する。方位情報には、ディスプレイ１０６の方位（ディスプレイ１０６を見るユーザーから見た方位）を示す情報と、方位検出部１０８によって得たレンズ光軸の方位を示す情報を含む。この際、撮像した画像を撮影した際の撮影設定や撮影条件などの各種メタデータも関連付けて記録する。その後再びＳ４０１からの処理に戻る。
【００２５】
図５に、Ｓ４０４においてディスプレイ１０６に表示される電子コンパス表示の表示例を示す。ディスプレイ１０６には、撮像部１０３によって撮影されているライブビュー画像５０１と電子コンパス５０５とが表示されている。点線５０２はディスプレイ１０６が向いている方位を示すものであり、ディスプレイ１０６の平面上で常に上向き（ディスプレイ１０６に対して垂直方向）を示す。図示の例では、方位目盛５０６に対する点線５０２が示す位置から、ディスプレイ１０６の背面が北西方向、すなわちディスプレイ１０６を見るユーザーの視線方向が北西を向いていることがわかる。また、ディスプレイ１０６の表示面が南東を向いていることがわかる。図形５０３は常に北向きを示す電子コンパスの表示であり、ディスプレイ１０６の向く方位が変化するとこの図形５０３と方位目盛５０６が回転（変動）することで、ディスプレイ１０６の方位の変化をユーザーに提示する。矢印５０４は撮像部１０３のレンズ光軸が向いている方位を示すものであり、レンズ光軸の向く方位が変化するとこの矢印５０４が回転することで、レンズ光軸の方位の変化をユーザーに提示する。図示の例では、矢印５０４によりレンズ光軸の方位が南西を向いている、すなわち表示されているライブビュー画像５０１が南西方向を撮影した映像であることがわかる。
【００２６】
図６は、上から見下したときの、撮像装置本体１と表示部７およびユーザー６０２の位置関係を示したものである。方位６０１は図６（ａ）、図６（ｂ）においてどちらも同一の方角を示している。撮像装置本体１は図６（ａ）と図６（ｂ）とで比較すると９０°回転しており、図６（ａ）ではレンズ筺体２の光軸が北西を向いており、図６（ｂ）では南西を向いている。表示部７は図（ａ）と図（ｂ）で同一の方角を向いていて、いずれも表示部７に備えられたディスプレイ１０６の表示面の背面側が北西を向いている。
【００２７】
図６（ａ）では、レンズ光軸とディスプレイ１０６の向きが一致している。この状態において、可動部１０に設けられた角度検出部１０７は、表示部７の撮像装置本体１に対する水平方向の回転角度として０°を検出する。このとき、Ｓ４０４でディスプレイ１０６に表示される電子コンパスの表示例を図７（ａ）に示す。図７（ａ）では、ディスプレイ１０６の向いている方位である点線５０２とレンズ光軸の方位である矢印５０４の方位が一致して北西を示すように表示されている。
【００２８】
図６（ｂ）では、レンズ光軸とディスプレイ１０６の向きが一致していない。この状態において、可動部１０に設けられた角度検出部１０７は、表示部７の撮像装置本体１に対する水平方向の回転角度として９０°を検出する。このとき、Ｓ１０４において、ＣＰＵ１０２は角度検出部１０７によって検出した角度を参照してレンズ光軸の方位を９０°の回転による補正を行い、ディスプレイ１０６に表示する。この時の表示例を図７（ｂ）に示す。図７（ｂ）における矢印５０４は、図７（ａ）よりも９０°回転して表示されている。また、ディスプレイ１０６の向きは方位に対して関して変化していないため、図７（ｂ）の図形５０３の向きは図７（ａ）の状態から変化しない。このようにして、Ｓ４０４ではレンズ光軸の方位とディスプレイ１０６の方位のそれぞれを識別可能に表示する。なお、図７（ｂ）は、撮像装置本体１と表示部７が図５と同じ位置関係の際の表示である。
【００２９】
なお、実施例１では、ディスプレイ１０６の向きを反映させたレンズ光軸の方位情報をライブビュー画像に重畳表示するものとして説明したが、電子コンパス５０５の表示に加えて他の様々な撮影条件、撮影設定等を表示することももちろん可能である。
【００３０】
尚、実施例１の構成として角度検出部１０７にロータリースイッチを用いたが、これに限るものではなく、磁気を用いた非接触の角度検出スイッチや角速度を検出するジャイロセンサ等を用いて撮像装置本体１と表示部７の成す角を検出してもよい。
【００３１】
また、ディスプレイ１０６の方位を表示するために、撮像装置本体１の備えられた方位検出部１０８で検出した方位を、角度検出部１０７が検出した角度情報に基づいて補正していたが、これに限るものではない。角度検出部１０７を設けずに、撮像装置本体１と表示部７の方位検出センサを設け、それぞれの情報に基づいて、電子コンパス５０５にレンズ光軸の向いている方位とディスプレイ１０６（の背面）の向いている方位を表示しても良い。
【００３２】
また、Ｓ４０７で記録した画像は、再生モードにてディスプレイ１０６に再生表示することができる。この際、関連付けて記録されている方位情報に基づいて、ディスプレイ１０６の方位（ディスプレイ１０６を見るユーザーから見た方位）、方位検出部１０８によって得たレンズ光軸の方位との少なくとも一方を表す表示を行うことができる。また、再生時には、再生時に方位検出部１０８によって検出したレンズ光軸の方位情報は表示しない。再生時の表示では、図５で説明した撮影時の表示とは異なり、画像に関連付けて記録された方位情報に基づいて、撮影時のレンズ光軸の方位（矢印５０４の向き）をディスプレイ１０６の平面上常に上向きに固定して表示するとよい。こうすることで、ユーザーは再生された画像の撮影時におけるレンズ光軸の方位を認識しやすくなる。
【００３３】
なお、実施例１における電子コンパス５０５の表示に際しては、指標として点線や矢印を用いたが、その他の図形やカメラの形状を示すアイコンや数値等によって表示してもよい。また、これらを組み合わせて表示してもよい。
【００３４】
さらに、レンズ光軸方位の表示に際しては、撮像部１０３に取り付けられたレンズの種類、及び現在のズーム倍率を検出し、該レンズの種類とズーム倍率の少なくとも１方に基づいて、図８の図形８０１のように、撮影画角に収まる方位の範囲を示す表示をしてもよい。この場合、図形８０１は矢印５０４に連動して回転することになる。このような構成とすれば、ユーザーは自分の撮影状況をより正確に把握しながら撮影することができる。
【００３５】
また、実施例１における電子コンパスの表示に際しては、撮影時と再生時において表示する方位情報や、表示の基準となる方位を切り替えてもよい。この場合、撮影時や再生時のそれぞれのモードに応じて、ＣＰＵ１０２が自動的に表示の切り替えを行うか、もしくはユーザーが操作部１０９によって電子コンパスの表示を設定してもよい。このような構成とすれば、ユーザーにとって必要な方位情報を自動で、もしくは選択的に表示できるので、表示部に不要な方位情報が表示されることがなく、ユーザーがより方位情報を認識しやすい表示とすることができる。
【００３６】
以上説明したように、実施例１によれば、撮影時に、ユーザーは自分が向いている表示部方向の方位と、撮像装置のレンズ光軸の方位とを明確に区別して確認しながら、撮影を行うことができる。さらに、画像を再生する場合において、ユーザーがどの方位を向いてどの方位を撮影したのかを容易に確認できる。
【実施例２】
【００３７】
実施例２では、表示部として独立した表示装置（例えば携帯電話端末等）を用いて、表示部が撮像装置から独立している撮像形態の例について説明する。
【００３８】
図９に、実施例２における撮像装置１００と、表示制御装置としての表示装置２００の構成ブロック図を示す。撮像装置１００に関して、電源供給部１０１、ＣＰＵ１０２、撮像部１０３、画像処理部１０４、記憶部１０５、方位検出部１０８、操作部１０９、ＲＯＭ１１０．ＲＡＭ１１１は、実施例１で説明した図２と同様である。異なる点として、図９の撮像装置１００は、表示装置２００との通信を行うための通信部１１２が設けられている。
【００３９】
表示装置２００は、表示装置本体に電圧供給する電源供給部２０１、表示装置２００全体を制御する制御部２０２、ディスプレイ２０３、撮像装置との通信を行うための通信部２０４、ユーザーからの操作を受け付ける操作部２０５を有する。また、表示装置２００の方位を検出する方位検出部２０６を有する。ＲＯＭ２１０は不揮発性の記録媒体であり、制御部２０２の動作用のプログラムや、各種設定情報、設定パラメータなどが記録されている。ＲＡＭ２１１は揮発性の記録媒体であり、制御部２０２がプログラムを実行する際のワークメモリとして用いられる。
【００４０】
図１０は実施例２における、表示装置２００の外観図である。図１０の表示装置２００は、例として携帯電話端末である。ディスプレイ２０３には、撮像装置１００の有する撮像部１０３によって撮影されている画像を受信して、ライブビュー画像１００１が表示されている。また、同一画面上に電子コンパス１００５も表示されている。点線１００２はディスプレイ２０３が向いている方位を示すものであり、ディスプレイ２０３の平面上で常に上向き（ディスプレイ２０３に対して垂直方向）を示す。図示の例では、ディスプレイ２０３の背面が北西方向、すなわちディスプレイ２０３を見るユーザーの視線方向が北西を向いていることがわかる。また、ディスプレイ２０３の表示面が南東を向いていることがわかる。図形１００３は常に北向きを示す電子コンパスの表示であり、ディスプレイ２０３の向く方位が変化するとこの図形１００３と方位目盛が回転することで、ディスプレイ２０３の方位の変化をユーザーに提示する。図形１００３と点線１００２の位置関係は、表示装置２００に備えられた方位検出部２０６での方位の検出結果に基づいて決定される。矢印１００４は撮像装置１００に備えら得た撮像部１０３のレンズ光軸が向いている方位を示すものである。レンズ光軸の向く方位が変化するとこの矢印５０４が回転することで、レンズ光軸の方位の変化をユーザーに提示する。図形１００３に対する矢印１００４の位置関係は、撮像装置１００に備えられた方位検出部１０８で検出した方位（後述のレンズ光軸方位情報、すなわち撮像方向の方位）に基づいて決定される。図示の例では、矢印１００４によりレンズ光軸の方位が北西を向いている、すなわち表示されているライブビュー画像１００１が北西方向を撮影した映像であることがわかる。ディスプレイ２０３の向く方位（ディスプレイ２０３を見るユーザーから見た方位）と撮像方向の方位との相対関係が変化すると、撮像方向の方位を示す指標である図形１００３が、固定表示された点線１００２に対して変動する。ボタン１００６はユーザーが表示装置２００を操作するための操作部材であり、操作部２０５に含まれる。
【００４１】
図１１（ａ）に、表示装置２００で電子コンパス表示を行う際の、撮像装置１００における撮影モード処理のフローチャートを示す。また、図１１（ｂ）に、表示装置２００で電子コンパス表示を行う際の、表示装置２００における撮影モード処理のフローチャートを示す。
【００４２】
まず図１１（ａ）を参照して、撮像装置１００のフローチャートを説明する。図１１（ａ）の処理は、ＲＯＭ１１０に記録されたプログラムを、ＲＡＭ１１１に展開してＣＰＵ１０２が実行することにより実現する。ユーザーが操作部１０９および操作部２０５によって撮像装置１００と表示装置２００に対して撮影モードを選択し、相互に通信可能な状態とすると、撮像装置１００側ではＣＰＵ１０２により、図１１（ａ）の処理が開始される。
【００４３】
Ｓ１１０１では、ＣＰＵ１０２は、撮像部１０３での撮像を行って画像処理部１０４で画像処理を施し、ライブビュー画像を取得する。
【００４４】
Ｓ１１０２では、ＣＰＵ１０２は、通信部１１２から、Ｓ１１０１で取得したライブビュー画像を表示装置２００側の通信部２０４へ送信する。ライブビュー画像は所定のフレームレートで連続的に取得されるので、Ｓ１１０２でのライブビュー画像の送信も連続的に行われる。
【００４５】
Ｓ１１０３では、ＣＰＵ１０２は、方位検出部１０８によってレンズ光軸の方位を検出する。
【００４６】
Ｓ１１０４では、ＣＰＵ１０２は、通信部１１２から表示装置２００側の通信部２０４に、Ｓ１１０３で検出したレンズ光軸の方位を示す情報（レンズ光軸方位情報）を送信する。
【００４７】
Ｓ１１０５では、ＣＰＵ１０２は通信部１１２でレリーズスイッチ押下情報を受信したか否かを判定する。レリーズスイッチ押下情報は、表示装置２００側の操作部２０５の操作に応じて、表示装置２００側から撮像装置１００側に通知（送信）される。すなわち、ユーザーが表示装置２００側のディスプレイ２０３に表示されたライブビュー画像をみながら、任意のタイミングで撮像装置１００側に対する撮影指示を行うことができる。Ｓ１１０５でレリーズスイッチ押下情報を受信したと判定するとＳ１１０６に進み、受信していなければＳ１１０１へ戻る。こうして、ＣＰＵ１０２はＳ１１０１〜Ｓ１１０５の処理を繰り返して表示装置２００にライブビュー画像及びレンズ光軸方位情報を送信し続けながら、レリーズスイッチ押下情報が受信されるのを待機する。
【００４８】
Ｓ１１０６では、ＣＰＵ１０２は、レリーズスイッチ押下情報の受信に応じて、撮像部１０３での本撮影（ライブビュー画像の撮像との区別のために本撮影と称する）を行い、撮影された画像情報を画像処理部１０４で画像処理して画像ファイルを生成する。
【００４９】
Ｓ１１０７では、ＣＰＵ１０２は、Ｓ１１０６で生成した画像ファイルに、方位情報、及び撮影設定等を関連付けて記憶部１０５に記録する。
【００５０】
Ｓ１１０８では、ＣＰＵ１０２は、表示装置２００側に対して、記録処理の終了通知を送信し、再びＳ１１０１からの処理に戻る。
【００５１】
次に、図１１（ｂ）の表示装置２００側のフローチャートを説明する。図１１（ｂ）の処理は、ＲＯＭ２１０に記録されたプログラムを、ＲＡＭ２１１に展開して制御部２０２が実行することにより実現する。ユーザーによって撮影モードとなり相互に通信が可能となると、表示装置２００は撮影モード処理を開始し、撮像装置１００からライブビュー画像が送信されてくるのを待機する。
【００５２】
Ｓ１２０１では、制御部２０２は、通信部２０４によって、撮像装置１００側から送信されたライブビュー画像を受信する。
【００５３】
Ｓ１２０２では、制御部２０２は、ディスプレイ２０３に、Ｓ１２０１で受信したライブビュー画像を表示する。
【００５４】
Ｓ１２０３では、制御部２０２は、通信部２０４によって、撮像装置１００側から送信されたレンズ光軸方位情報を受信する。
【００５５】
Ｓ１２０４では、制御部２０２は、表示装置２００に備えた方位検出部２０６によって、表示装置２００の方位を検出する。
【００５６】
Ｓ１２０５では、制御部２０２は、撮像装置１００から受信したレンズ光軸方位情報、方位検出部２０６によって得られた表示装置２００の方位情報に基づいて、ディスプレイ２０３に、電子コンパスを表示する。より具体的には、通信部２０４で受信したレンズ光軸方位情報に基づくレンズ光軸の方位と、表示装置２００に備えた方位検出部２０６によって検出された方位とを、それぞれ識別可能に表示する。これによってディスプレイ２０３には、レンズ光軸の方位（すなわち表示されているライブビュー画像の方位）とディスプレイ２０３の背面の方向の方位（即ちユーザーの向いている方位）が識別可能に表示される。このときの表示例は図１０で前述した通りである。
【００５７】
Ｓ１２０６では、制御部２０２は、操作部２０５によって表示装置２００に設けられたレリーズスイッチが押下されたか否かを判定する。レリーズスイッチが押下されたトはっていするとＳ１２０７に進み、そうでない場合はＳ１２０１に戻って処理を繰り返す。こうしてＳ１２０１〜Ｓ１２０６の処理を繰り返し、受信した方位情報と検出した方位情報を逐次ディスプレイ２０３に表示しながら、レリーズスイッチが押下操作されるのを待機する。
【００５８】
Ｓ１２０７では、制御部２０２は、通信部２０４から撮像装置１００側に対してレリーズスイッチ押下情報を送信する。
【００５９】
Ｓ１２０８では、制御部２０２は、通信部２０４によって撮像装置１００から記録処理終了通知を受け取ったか否かを判定する。記録処理終了通知を受信していない場合はこのＳ１２０８で待機し、記録処理終了通知を受信した場合には、Ｓ１２０１からの処理に戻り、再び撮像装置１００からライブビュー画像が送信されてくるのを待機する。
【００６０】
なお、実施例２における表示装置２００には、携帯電話やＰＤＡ等の電子機器が適用可能である。この場合には電子機器が撮像装置と通信を行って撮像操作が可能となるようなアプリケーションを記憶している形態が好ましい。
【００６１】
以上説明した実施例２によれば、例えば人が立ち入ることが困難な場所において、ユーザーが撮像装置本体１の近傍に居なくとも、レンズ光軸およびユーザー自身がどの方位を向いていて、どの方位を撮影するのかを迷うことなく撮影できる。
【００６２】
以上、本発明によれば、撮像部と表示部がどのような位置関係にあっても、ユーザーが方位を正しく認識しながら撮影することを可能にした方位情報の表示方法を提供することができる。
【００６３】
なお、上述の各実施例におけるＣＰＵ１０２および制御部２０２の制御は１つのハードウェアが行ってもよいし、複数のハードウェアが処理を分担することで、装置全体の制御を行ってもよい。
【００６４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６５】
また、上述した実施形態においては、本発明をバリアングルモニタを備えた撮像装置のための表示制御装置に適用した場合を例にして説明したが、この例に限定されず、撮像部の光軸に対して相対位置を変更可能な表示部の表示を制御する表示制御装置であれば適用可能である。すなわち、本発明はカメラ部と、カメラ部に対して位置を変更可能な表示部を有する携帯電話端末、パーソナルコンピューター（折り畳み可能なカメラ付きのノートＰＣなど）、ゲーム機（折り畳み可能なカメラ付きのゲーム機など）に適用可能である。また、カメラ部に対して位置を変更可能な表示部を有するＰＤＡ、携帯型の画像ビューワ、デジタルフォトフレーム、音楽プレーヤー、電子ブックリーダー、タブレット端末などに適用可能である。
【００６６】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014093729.tif 000003
【図２】
2014093729.tif 000004
【図３】
2014093729.tif 000005
【図４】
2014093729.tif 000006
【図５】
2014093729.tif 000007
【図６】
2014093729.tif 000008
【図７】
2014093729.tif 000009
【図８】
2014093729.tif 000010
【図９】
2014093729.tif 000011
【図１０】
2014093729.tif 000012
【図１１】
2014093729.tif 000013